(57)【要約】【課題】陽炎に影響を受けることなく、歪のない観察画像を得ることができて、高精度な位置確認を行うことが可能な位置確認装置およびダイボンダを提供する。【解決手段】  大気と屈折率差を有する雰囲気内の観察部位を観察する位置確認装置である。観察部位の上方位置に作業用開口部が形成される。陽炎の発生を防止する非陽炎発生路を、作業用開口部を介しての作業を規制しない作業用開口部近傍位置に形成する。非陽炎発生路を介して観察部位画像を撮影する撮影手段を備える。【選択図】図１
2016025304.tif 000002
【特許請求の範囲】
【請求項１】
大気と屈折率差を有する雰囲気内の観察部位を観察する位置確認装置であって、
前記観察部位の上方位置に作業用開口部が形成され、かつ、陽炎の発生を防止する非陽炎発生路を、作業用開口部を介しての作業を規制しない作業用開口部近傍位置に形成し、この非陽炎発生路を介して観察部位画像を撮影する撮影手段を備えたことを特徴とする位置確認装置。
【請求項２】
前記撮影手段はレンズ系とカメラ部とを備え、非陽炎発生路は、作業用開口部の外周側において観察部位に対して斜め方向に延びて内部が大気と屈折率差を有する雰囲気となる突起筒部と、この突起筒部の開口部に付設される前記撮影手段のレンズ系にて構成されることを特徴とする請求項１に記載の位置確認装置。
【請求項３】
前記撮影手段はレンズ系とカメラ部とを備え、非陽炎発生路は、作業用開口部の外周側において観察部位に対して斜め方向に延びて内部が大気と屈折率差を有する雰囲気となる突起筒部と、この突起筒部の開口部に付設されるガラス板とで構成されることを特徴とする請求項１に記載の位置確認装置。
【請求項４】
前記撮影手段は、レンズ系とカメラ部と観察部位とがシャインプルーフ光学系となるように配置されることを特徴とする請求項１〜請求項３のいずれか１項に記載の位置確認装置。
【請求項５】
作業用開口部の外周側に複数配設されることを特徴とする請求項１〜請求項４のいずれか１項に記載の位置確認装置。
【請求項６】
前記作業用開口部に開閉自在な蓋部材を付設したことを特徴とする請求項１〜請求項５のいずれか１項に記載の位置確認装置。
【請求項７】
前記撮影手段にて撮影された画像を用いて位置決めと検査とを行うことを特徴とする請求項１〜請求項６のいずれか１項に記載の位置確認装置。
【請求項８】
位置決め用の画像と検査用の画像とをそれぞれ１枚以上撮影することを特徴とする請求項７に記載の位置確認装置。
【請求項９】
加熱手段及び搬送手段を構成するヒータレールに搬送されるワークにチップをボンディングするダイボンダであって、ヒータレール内部が大気と屈折率差を有する雰囲気である高温雰囲気となり、前記請求項１〜請求項８のいずれか１項に記載の位置確認装置を備えたことを特徴とするダイボンダ。
【発明の詳細な説明】
【技術分野】
【０００１】
本発明は、リードフレーム等に半導体チップ等をマウントするダイボンダ、及びこのようなダイボンダに用いることができる位置確認装置に関するものである。
【背景技術】
【０００２】
半導体装置を製造する場合、被実装部材としてのリードフレームに半導体チップを実装するダイボンディングが行なわれる。このダイボンディングには、チップを吸着するコレットを備えたダイボンダが使用される。
【０００３】
このようなダイボンダは、図５に示すように、供給部２の半導体チップ１を吸着するコレット３を有するボンディングアーム（図示省略）と、供給部２の半導体チップ１を観察する認識用カメラ（図示省略）と、ボンディング位置でリードフレーム４のアイランド部５を観察する認識用カメラ（図示省略）とを備える。
【０００４】
供給部２は半導体ウエハを備え、半導体ウエハが多数の半導体チップ１に分割されている。また、コレット３を保持しているボンディングアームは搬送手段を介して、ピックアップ位置とボンディング位置との間の移動が可能となっている。
【０００５】
また、このコレット３は、その下端面に開口した吸着孔を介してチップ１が真空吸引され、このコレット３の下端面にチップ１が吸着する。なお、この真空吸引（真空引き）が解除されれば、コレット３からチップ１が外れる。
【０００６】
次に、このダイボンダを使用したダイボンディング方法を説明する。まず、供給部２の上方に配置される認識用カメラにてピックアップすべきチップ１を観察して、コレット３をこのピックアップすべきチップ１の上方に位置させた後、矢印Ａのようにコレット３を下降させてこのチップ１をピックアップする。その後、矢印Ｂのようにコレット３を上昇させる。
【０００７】
次に、ボンディング位置の上方に配置された認識用カメラにて、ボンディングすべきリードフレーム４のアイランド部５を観察して、コレット３を矢印Ｃ方向へ移動させて、このアイランド部５の上方に位置させた後、コレット３を矢印Ｄのように下降移動させて、このアイランド部５にチップ１を供給する。また、アイランド部５にチップを供給した後は、コレット３を矢印Ｅのように上昇させた後、矢印Ｆのように、ピップアップ位置の上方の待機位置に戻す。
【０００８】
すなわち、コレット３を、順次、矢印Ａ、Ｂ、Ｃ、Ｄ、Ｅ、Ｆのように移動させることによって、ピックアップ認識用カメラの観察に基づいて位置決めされたチップ１をコレット３でピックアップし、このチップ１をアイランド部５に実装することになる。
【０００９】
ところで、このようなボンディング装置としては、図６に示すようにヒータレール１０内を搬送されるリードフレーム１１のアイランド部（マウント部）１２にチップ１をボンディングする場合がある。
【００１０】
ここで、ヒータレール１０とは、加熱手段と搬送手段とを構成するものであって、内部には窒素等の不活性ガスが充填され、高温雰囲気（例えば、３００℃から５００℃程度）とされる。
【００１１】
そして、このヒータレール１０には、窓部（作業用開口部）１３が設けられ、この窓部１３を介して、チップ１がボンディングされる。この際、この窓部１３の上方には、チップの位置決め等に使用される観察手段１４が配置されている。観察手段１４はレンズ系１５とカメラ部１６とを備える。
【００１２】
しかしながら、ヒータレール１０内が高温雰囲気であるので、この高温雰囲気と常温の大気との間に屈折率差が生じ、観察手段１４とヒータレール１０の窓部１３との間の空間において陽炎が発生する。このように、陽炎が発生すれば、認識画像が陽炎による影響を受けて、チップとアイランド部との認識が不安定となり、精度のよいボンディング作業を行うことができない。
【００１３】
そこで、陽炎対策が従来から種々施されている。例えば、高温ステージからの輻射熱の一時蓄積により認識時に陽炎の原因となる常温空間の温度差減少を図ることができるものがある（特許文献１）。
【００１４】
すなわち、この特許文献１に記載の画像認識装置は、図７に示すように、光学系２０の対物レンズ２１と被加工物２２との間に、透明カバーガラス２３の付いた補助鏡筒２４を設けたものである。この場合、補助鏡筒２４の先端を被加工物２２及び高温のステージ２５に接近させるものである。これによって、高温ステージ２５からの輻射熱の一時蓄積により認識時に陽炎の原因となる常温空間の温度差減少を図るものである。
【００１５】
また、従来には、ダイボンダに用いるものではないが、輻射光やゆらぎ等の影響をうけにくい高温物体の観察装置も提案されている（特許文献２）。この観察装置は、観察対象に紫外線を照射する紫外線照明と、紫外線に対して感度を有するカメラとを備えたものである。
【００１６】
この場合、観察対象は、加熱炉内に収納されており、この加熱炉には、紫外線を透過する照明用窓と、カメラが装着されるカメラ用窓が形成されている。すなわち、照明に紫外線を用いることで、観察対象以外の物体からの輻射光の影響を排除して観察対象を明確化しようとするものである。また、加熱炉の胴部から一対の筒部を突出させ、各筒部の先端に窓を設け、窓から観察対象に向って広がる空間を形成している。
【００１７】
この場合、周囲と遮断するために末広がりの筒状の側壁（筒部）を設けることで加熱炉内の対流によるゆらぎ（陽炎）の影響を防止するものである。そして、加熱炉内には断熱材を配置するともに、胴部から窓に至る筒部を水冷ジャケットにて覆っている。
【００１８】
さらには、従来には、熱風路内の点検装置として、水冷ジャケットを使用し、この水冷ジャケットに、カメラが内蔵されているペリスコープを挿入するものがある（特許文献３）。すなわち、この点検装置は、カメラレンズを空気の流通が行われない水冷ジャケットの内管とペリスコープの外周面との間の隙間に臨ませることによって、カメラレンズの前方の陽炎現象を生じさせないようにしている。
【００１９】
また、前記特許文献１〜特許文献３以外にも、高温雰囲気と外気との温度差によって発生する陽炎のために観察画像が歪む問題点を解決する手段として、陽炎部分の雰囲気をブローにて外気に置き換えるもの、対象付近に基準標的を求め、標準標的の理想位置からのずれ量を基に、位置決め補正又は画像歪を補正するもの、高温雰囲気に撮影手段のレンズ系を密接させるもの、陽炎の歪を時間平均して真値を推定するもの等がある。
【先行技術文献】
【特許文献】
【００２０】
【特許文献１】特開２００５−１８３６３９号公報
【特許文献２】特開２０００−２９２０７６号公報
【特許文献３】特開平８−２３９７０７号公報
【発明の概要】
【発明が解決しようとする課題】
【００２１】
前記特許文献１に記載のものでは、補助鏡筒等を必要として、部品点数が多くなって、装置として複雑化を招くことになる。しかも、補助鏡筒の先端と高温ステージとの間に隙間がある。ところで、陽炎は局所的に屈折率が異なる気体の境界に光が侵入したときに起こる現象であり、気体の屈折率差は気体の密度、性質による。このため、この隙間において、陽炎が発生するおそれがあり、安定した観察が可能とは言えない。
【００２２】
特許文献２に記載のものでは、紫外線を照射する紫外線照明を必要とし、紫外線のみを撮影装置に入光させるためのフィルタ等を備える必要がある。また、この特許文献２では、筒部にて形成される円錐状空間に、加熱時の対流の影響が及ばないように仕切り板等を設けている。すなわち、特許文献２では、加熱炉内の対流によるゆらぎの影響を防止するものであり、そのために、筒部を覆う水冷ジャケットや仕切り板等を必要とし、装置全体の簡素化を図ることができない欠点がある。
【００２３】
また、特許文献３においても、水冷ジャケットを使用し、この水冷ジャケットに、カメラが内蔵されているペリスコープを挿入する必要があり、装置全体の簡素化を図ることができない欠点がある。
【００２４】
陽炎部分の雰囲気をブローにて外気に置き換えるものでは、別途ブロー手段を必要とするとともに、ブロー量、ブローのタイミング等の制御も必要であり、ゆらぎの解消が安定しない。また、位置決め補正又は画像歪を補正するものでは、複数回の画像の撮影や、複雑な画像処理工程を必要とし、作業時間が大となるおそれがある。
【００２５】
陽炎の歪を時間平均して真値を推定するものでは、陽炎が一定でない場合がある。このような場合には、演算時間（推定時間）を多くとれば、真値の推定が可能かもしれないが、全体として作業時間が大となる。このため、時間制約があるダイボンダ等には採用しにくいものとなる。
【００２６】
なお、高温雰囲気にレンズ系を密接させる場合、観察物対象の真上に、レンズ系を有する観察手段（撮影手段）を配置する必要がある。このように、撮影手段を観察物対象の真上に配置した場合、この観察物対象への作業（例えば、チップをボンディングする作業）時において、撮影手段がその作業（動作）の妨げになるおそれがある。
【００２７】
本発明は、上記課題に鑑みて、陽炎に影響を受けることなく、歪のない観察画像を得ることができて、高精度な位置確認を行うことが可能な位置確認装置およびダイボンダを提供する。
【課題を解決するための手段】
【００２８】
本発明の位置確認装置は、大気と屈折率差を有する雰囲気内の観察部位を観察する位置確認装置であって、前記観察部位の上方位置に作業用開口部が形成され、かつ、陽炎の発生を防止する非陽炎発生路を、作業用開口部を介しての作業を規制しない作業用開口部近傍位置に形成し、この非陽炎発生路を介して観察部位画像を撮影する撮影手段を備えたものである。なお、大気と屈折率差を有する雰囲気とは、例えば、大気よりも高温となる高温雰囲気である。
【００２９】
本発明の位置確認装置によれば、非陽炎発生路を介して観察部位画像を撮影する撮影手段を備えているので、この撮影手段にて撮影した画像は、陽炎が発生していない光路を介してのものであり、歪の生じることを回避できる。しかも、観察部位の上方位置に作業用開口部が形成され、この作業用開口部を介した作業（例えば、チップやワイヤ等のボンディングする作業）を行ことができる。そして、作業用開口部を介して作業を規制しない位置に非陽炎発生路が設けられ、この作業を安定して行うことができる。
【００３０】
前記撮影手段はレンズ系とカメラ部とを備え、非陽炎発生路は、作業用開口部の外周側において観察部位に対して斜め方向に延びて内部が大気と屈折率差を有する雰囲気となる突起筒部と、この突起筒部の開口部に付設される前記撮影手段のレンズ系とで構成できる。
【００３１】
前記撮影手段はレンズ系とカメラ部とを備え、非陽炎発生路は、作業用開口部の外周側において観察部位に対して斜め方向に延びて内部が大気と屈折率差を有する雰囲気となる突起筒部と、この突起筒部の開口部に付設されるガラス板とで構成できる。
【００３２】
前記撮影手段は、レンズ系とカメラ部と観察部位とがシャインプルーフ光学系となるように配置されるのが好ましい。シャインプルーフ光学系とは、被写体面とレンズ主面と像面とが一点で交わるものである。このため、斜め方向からの観察部位の観察であっても、平面視したように平面にフォーカスのあった観察が可能となる。
【００３３】
前記撮影手段は、作業用開口部の外周側に複数配設されるものであってもよい。このように、複数配設したものでは、観察部位の水平方向や上下方向（垂直方向）の位置ずれを検出することが可能となる。
【００３４】
前記作業用開口部に開閉自在な蓋部材を付設することも可能となる。このような蓋部材を設けることによって、作業用開口部を利用するとき、または他の所望のときのみ開状態とすることができる。
【００３５】
前記撮影手段にて撮影された画像を用いて位置決めと検査とを行うことも可能である。この場合、位置決め用の画像と検査用の画像とをそれぞれ１枚以上撮影するのが好ましい。
【００３６】
本発明のダイボンダは、加熱手段及び搬送手段を構成するヒータレールに搬送されるワークにチップをボンディングするダイボンダであって、ヒータレール内部が大気と屈折率差を有する雰囲気である高温雰囲気となり、前記位置確認装置を備えたものである。
【００３７】
本発明のダイボンダによれば、撮影手段にて撮影した画像は、陽炎が発生していない光路を介してのものであり、歪の生じることのないアイランド部画像及び／又はチップ画像を得ることができる。また、作業用開口部を介して、チップをボンディング部にボンディングすることができる。そして、非陽炎発生路はボンディング動作を規制しない。
【発明の効果】
【００３８】
本発明の位置確認装置では、撮影手段にて撮影した画像は、歪の生じることを回避できて、高精度の画像認識が可能となる。しかも、作業用開口部を介した作業時には非陽炎発生路が作業の妨げにならず、安定した作業を行うことができる。すなわち、非陽炎発生路等を移動させるための移動機構を必要とせず、装置全体の簡素化を図ることが可能である。さらには、陽炎の影響を補正する必要がなく、処理性に優れ、短時間の処理時間で位置認識処理を行うことができ、作業性に優れる。
【００３９】
非陽炎発生路は、突起筒部と撮影手段のレンズ系とで構成したり、突起筒部とガラス板とで構成したりでき、簡易な構造でもって、低コストにて非陽炎発生路を形成することができ、しかも、安定して陽炎が発生していない光路を形成することができる。
【００４０】
蓋部材を備えたものであれば、作業用開口部を常時開状態とならず、この作業用開口部からの不活性ガスや熱気の不要な流出を防止することができ、省エネ化を図るとともに、加熱を必要としない部位への加熱を回避できる。
【００４１】
位置決めと検査とを行うことに可能となって、装置として汎用性に優れたものとなる。
【００４２】
本発明のダイボンダでは、歪の生じることのないアイランド部画像及び／又はチップ画像を得ることができ、チップに対して高精度の位置決めが可能となって、所定の位置に所定の姿勢でチップをボンディングすることができる。また、作業用開口部を介して、チップをボンディング部にボンディングすることができ、非陽炎発生路がこのボンディング動作を規制（邪魔）しないので、非陽炎発生路を移動させるための移動機構を必要とせず、ダイボンダの簡素化を図ることが可能である。さらには、陽炎の影響を補正する必要がなく、処理性に優れ、短時間の処理時間で位置認識処理を行うことができ、短時間での高精度のボンディングが可能となる。
【図面の簡単な説明】
【００４３】
【図１】本発明の実施形態を示す位置確認装置を用いたダイボンダのヒータレールの簡略断面図である。
【図２】ヒータレールの横断面図である。
【図３】シャインプルーフ原理の説明図である。
【図４】本発明の他の実施形態を示す位置確認装置を用いたダイボンダのヒータレールの簡略断面図である。
【図５】ボンディング工程を示す簡略図である。
【図６】ダイボンダのヒータレールの簡略図である。
【図７】従来の位置確認装置の簡略図である。
【発明を実施するための形態】
【００４４】
以下本発明の実施の形態を図１〜図４に基づいて説明する。
【００４５】
図１に本発明にかかる位置確認装置を用いたダイボンダのヒータレール５１を示している。このダイボンダは、ピックアップポジションでチップ５３をピックアップし、ボンディングポジションで加熱されたワークＷとしてのリードフレーム５２にチップ５３をボンディングするように、ピックアップポジションとボンディングポジション間を往復動作するコレット(図示省略)を備えものである。
【００４６】
この場合、加熱手段及び搬送手段を構成するヒータレール５１に搬送されるワークＷ（リードフレーム５２）にチップ５３をボンディングすることになる。ヒータレール５１は、図２に示すように、下部レール５５と上部レール５６とが組み合わされてなる中空レールであって、内部にワーク搬送路５７が形成される。この場合、下部レール５５は底壁５５ａと、この底壁５５ａから立設される一対の側壁５５ｂ、５５ｂとからなり、上部レール５６が、下部レール５５の上方開口を塞ぐ蓋形状となっている。
【００４７】
ワーク搬送路５７には、窒素ガス等の不活性ガス等の酸化防止ガスが充填される。例えば、図例のように、一対の側壁５５ｂ、５５ｂにそれぞれガス供給路６０を設け、このガス供給路６０を介して前記酸化防止ガスがワーク搬送路５７に供給される。また、下部レール５５の下面には、ヒータ５８が付設されている。このため、ワーク搬送路５７内が、高温雰囲気（例えば、３００℃から５００℃程度）とされる。
【００４８】
すなわち、このワーク搬送路５７にはリードフレーム５２が供給されて、高温雰囲気内のワーク搬送路５７をリードフレーム５２が走行することになる。この場合、例えば、送り爪等を備えた送り機構を介して間欠的に、上流側から下流側へ順次搬送されることになる。
【００４９】
ところで、このヒータレール５１には、作業用開口部６１としての窓部が設けられている。すなわち、上部レール５６にこの作業用開口部６１が設けられ、この作業用開口部６１を介して、半導体チップ（ダイ）５３を吸着しているコレット（図示省略）がヒータレール５１内に侵入し、このヒータレール５１内を搬送されているリードフレーム５２のアイランド部にボンディングすることになる。なお、ボンディング後においては、コレットは、作業用開口部６１を介してヒータレール５１から排出される。
【００５０】
このように、ヒータレール５１に作業用開口部６１が設けられることによって、この作業用開口部６１の上方には陽炎Ｈが発生すことになる。このため、本願発明では、このような陽炎Ｈに影響を受けることがない撮影手段７０を備えている。
【００５１】
撮影手段７０は、レンズ系７１と、このレンズ系７１に連設されるカメラ部７２とを備えたものである。カメラ部７２としては、電荷結合素子（ＣＣＤ）や相補性金属酸化膜半導体（ＣＭＯＳ）等の撮像素子を用いたカメラを使用できる。レンズ系７１とカメラ部７２と物体(観察部位)の配置がシャインプルーフ光学系となるように配置される。ここで、シャインプルーフ光学系は、図３に示すように、被写体面７５の延長線とレンズ系７１の結像レンズの主点を含むレンズ主平面７６と像面７７の延長線とが一点Ｏで交わるものである。このレンズ系７１として、樹脂レンズ系であっても、ガラスレンズ系であってもよい。
【００５２】
作業用開口部６１の外周側には、一対の突起筒部８０ａ、８０ｂが設けられ、突起筒部８０ａ、８０ｂに前記レンズ系７１とカメラ部７２とを備えた撮影手段７０が付設されている。突起筒部８０ａ、８０ｂは観察部位に対して斜め方向に延びるものである。すなわち、突起筒部８０ａ、８０ｂは、ヒータレール５１のワーク搬送路５７と連通され、その内部がワーク搬送路５７の高温雰囲気と同じ雰囲気となる。この場合、突起筒部８０ａ、８０ｂは被観察部中心を通るＺ軸に対して中心線Ｌ１，Ｌ２が２回対称になるように配設される。なお、必ずしも２回対称とする必要はなく、２回以上の対称になるように配設したものでもよい。さらには、対称にならなくても、視差があるだけでもよい。
【００５３】
すなわち、レンズ系７１は前記したように、シャインプルーフ光学系であるため、被観察部を被写体面７５と、カメラ部７２の撮像素子面を前記像面７７とすることによって、斜め方向からの観察部位の観察であっても、平面視したような観察部位の観察が可能となる。
【００５４】
撮影手段７０のレンズ系７１は、突起筒部８０ａ、８０ｂの開口部にそれぞれ付設され、このレンズ系７１によって突起筒部８０ａ、８０ｂの開口部が密封された状態となる。ところで、陽炎は局所的に屈折率が異なる気体の境界に光が侵入したときに起こる現象であり、突起筒部８０ａ（８０ｂ）内と外気とが遮断されているため、この突起筒部８０ａ（８０ｂ）内において、陽炎が発生せず、突起筒部８０ａ（８０ｂ）内において光の屈折を生じさせない、したがって、この突起筒部８０ａ（８０ｂ）とレンズ系７１とで、非陽炎発生路Ｍを構成することができる。また、非陽炎発生路Ｍが作業用開口部の上方位置には設けたられず、コレットを用いたボンディング動作(作用)を非陽炎発生路Ｍが規制(邪魔)しない。
【００５５】
このため、この位置確認装置を用いれば、撮影手段７０にて撮影した画像は、陽炎が発生していない光路を介してのものであり、歪の生じることを回避できる。従って、観察部位として、リードフレーム５２のアイランド部５４とし、チップ５３をこのアイランド部５４に供給するために、この位置確認装置を用いてアイランド部５４の位置を歪を生じさせることなく確認することができる。また、アイランド部５４とこのアイランド部５４に供給されたチップ５３とを観察部位とすれば、アイランド部５４に供給されたチップ５３の位置を確認するようにできる。
【００５６】
このように、チップ５３やアイランド部５４に位置確認を行うことにより、位置ずれが生じていれば、コレット側及び／又はリードフレーム５２側の位置修正を行うことによって、正規の位置の姿勢よくチップ５３をそのボンディングすべき位置にボンディングすることができる。
【００５７】
本発明の位置確認装置では、撮影手段７０にて撮影した画像は、歪の生じることを回避できで、高精度の画像認識が可能となる。しかも、作業用開口部６１を介した作業時には非陽炎発生路Ｍが作業の妨げにならず、安定した作業を行うことができる。すなわち非陽炎発生路Ｍを移動させるための移動機構を必要とせず、装置全体の簡素化を図ることが可能である。さらには、陽炎の影響を補正する必要がなく、処理性に優れ、短時間の処理時間で位置認識処理を行うことができ、作業性に優れる。
【００５８】
また、図１に示すように、突起筒部８０、８０が、観察部位に対して斜め方向に延びるものである。この場合、被観察部中心をとおるＺ軸に対して２回対称になるように配設されるものであれば、観察部位の水平方向や上下方向（垂直方向）の位置ずれを検出することが可能となる。２回対称以上とすることによって、さらに高精度の検出が可能となる。
【００５９】
このため、本実施形態のように、本位置認識装置をダイボンダに用いれば、撮影手段７０にて撮影した画像は、陽炎が発生していない光路を介してのものであり、歪の生じることのないアイランド部画像及びチップ画像を得ることができる。また、作業用開口部６１を介して、チップ５３をボンディング部(アイランド部５４)にボンディングすることができる。そして、非陽炎発生路Ｍはボンディング動作を規制しない。
【００６０】
次に、図４は他の実施形態を示し、この実施形態では、突起筒部８０ａ（８０ｂ）の開口部に耐熱性のガラス板８１，８１が付設され窓部８２を形成している。この場合、ガラス板８１，８１にて、突起筒部８０ａ（８０ｂ）の開口部が密封されている。このため、突起筒部８０ａ（８０ｂ）とガラス板８１，８１とで、陽炎の発生を防止する非陽炎発生路Ｍを構成することができる。なお、ガラス板８１としては、耐熱性に優れた石英ガラス等で構成できる。
【００６１】
従って、この図４に示すものであっても、撮影手段７０にて撮影した画像は、歪の生じることを回避できで、高精度の画像認識が可能となる。しかも、作業用開口部６１を介した作業時には非陽炎発生路Ｍが作業の妨げにならず、安定した作業を行うことができる。
【００６２】
この図４に示す実施形態では、作業用開口部６１を塞ぐ蓋部材８５が付設されている。この蓋部材８５としては、ヒンジ機構を介して、一つの辺を中心に揺動するものであっても、水平方向にスライドするものであっても、蛇腹式シャッター等であってもよい。
【００６３】
この場合、蓋部材８５の開閉は、コレットの動作と連動するようにするが好ましい。すなわち、コレットがこのヒータレール５１に作業用開口部６１を介して侵入してチップ５３をボンディングして、この作業用開口部６１から排出するまでの間が開状態となり、その他の状態では、閉状態となるように設定するのが好ましい。
【００６４】
蓋部材８５を備えたものであれば、作業用開口部６１を常時開状態とならず、この作業用開口部６１からの不活性ガスや熱気の不要な流出を防止することができ、省エネ化、加熱を必要としない部位へ加熱を回避できる。
【００６５】
また、非陽炎発生路Ｍは、突起筒部８０ａ（８０ｂ）と撮影手段７０のレンズ系７１とで構成したり、突起筒部８０ａ（８０ｂ）とガラス板８１とで構成したりでき、簡易な構造でもって、低コストにて非陽炎発生路Ｍを形成することができ、しかも、安定して陽炎が発生していない光路を形成することができる。
【００６６】
また、この位置確認装置では、記撮影手段にて撮影された画像を用いて位置決めと検査とを行うも可能である。このように構成すれば、装置として汎用性に優れたものとなる。また、この場合、位置決め用の画像と検査用の画像とをそれぞれ１枚以上撮影するのが好ましい。これによって、位置決めと検査とが安定して行うことができる。
【００６７】
以上、本発明の実施形態につき説明したが、本発明は前記実施形態に限定されることなく種々の変形が可能であって、例えば、撮影手段７０としては、少なくとも１個あればよく、３個以上であってもよい。複数個設けることによって、位置確認の精度をより高めることができる。また、突起筒部の観察部位に対する傾斜角度としては、使用するシャインプルーフの被写体面７５とレンズ主平面７６と像面７７との成す角度等によって種々変更できる。
【００６８】
撮影手段７０としては、斜め方向からの観察部位の観察であっても、平面視したように平面にフォーカスのあった観察が可能なものであれば、シャインプルーフ光学系に限るものではない。また、観察部位として、前記実施形態では、リードフレーム５２のアイランド部５４としていたが、他に、陽炎が生じる雰囲気中の位置を確認したい場所にも本位置確認装置を適用できる。すなわち、本位置確認装置として、ダイボンダに限るものではなく、ワイヤボンダ等の他の装置に用いてもよい。なお、空気（大気）と屈折率差を有する雰囲気であれば、陽炎を生じるものであるので、本発明では、高温雰囲気内の観察部位を観察する場合に限るものではない。
【００６９】
また、図４に示すように、ガラス板８１を用いる場合、図例では、このガラス板８１に撮影手段７０のレンズ系７１を密接させていたが、ガラス板８１とレンズ系７１とを密接させることなく、隙間が形成されていてもよい。すなわち、この隙間においても陽炎が生じる温度差や密度差が生じなければよい。
【００７０】
本位置確認装置を実施形態のダイボンダであっても、ダイボンダ以外の装置に用いた場合であっても、蓋部材８５を備える場合、蓋部材８５の開閉のタイミングを前記実施形態のものに限らず、使用者等の所望のタイミングで開閉できるように設定できる。もちろん、図１に示すヒータレール５１においても蓋部材８５を設けてもよい。
【００７１】
ところで、作業用開口部６１の近傍に、この作業用開口部６１と相違する開口部を形成し、この開口部にガラス材を嵌め込んだ観察用窓部を設け、この観察用窓部を介して、撮影手段による画像撮影を行うようにできる。このため、この観察用窓部が陽炎を発生させない非陽炎発生路Ｍを構成でき、このような場合、前記実施形態のような突起筒部８０ａ（８０ｂ）を形成しなくてもよい。
【符号の説明】
【００７２】
５１   ヒータレール
５２   リードフレーム
５３   チップ
６１   作業用開口部
７０   撮影手段
７１   レンズ系
７２   カメラ部
８０ａ、８０ｂ       突起筒部
８１   ガラス板
８５   蓋部材
Ｗ     ワーク
【図１】
2016025304.tif 000003
【図２】
2016025304.tif 000004
【図３】
2016025304.tif 000005
【図４】
2016025304.tif 000006
【図５】
2016025304.tif 000007
【図６】
2016025304.tif 000008
【図７】
2016025304.tif 000009